(57)【要約】【課題】塗布部の塗布面とは反対側の面に付着している化粧料をも容易に塗布することができ、しかも、化粧料のボリュームを調節しながら塗布することができる棒状化粧料容器を提供する。【解決手段】化粧料が収容された有底筒状の容器本体と、この容器本体の上端開口部を蓋する蓋体２と、この蓋体２に回転不能に固定される塗布部５とを備えている。そして、上記蓋体２の上部に把持部３を装着して上記蓋体２に対し相対回転自在に連結している。【選択図】図８
2004290300.tif 000002
【特許請求の範囲】
【請求項１】
化粧料が収容された有底筒状の容器本体と、この容器本体の上端開口部を蓋する蓋体と、この蓋体に回転不能に固定される塗布部とを備え、上記蓋体の上部に把持部を装着して上記蓋体に対し相対回転自在に連結したことを特徴とする棒状化粧料容器。
【請求項２】
上記把持部を筒状体で構成し、上記蓋体に回転不能に設けた連結部を上記蓋体の上面から突出させて上記把持部内に挿通させ、上記連結部の外周面に係合部を形成し、この係合部に対応する上記把持部の内周面の部分に、上記係合部に相対回転自在に係合する被係合部を形成し、これにより、上記連結部を把持部に相対回転自在に連結した請求項１記載の棒状化粧料容器。
【請求項３】
上記把持部を筒状体で構成し、上記蓋体に回転不能に設けた連結部を上記蓋体の上面から突出させて上記把持部内に挿通させるとともに、この把持部を上記連結部の軸心方向に沿って摺動自在に構成し、上記連結部の外周面に、第１の係合部を有する弾性片を設け、上記第１の係合部に対応する上記把持部の内周面の部分に、上記第１の係合部に相対回転自在で着脱自在に係合する第１の被係合部を形成し、これにより、上記第１の係合部と第１の被係合部とが係合した第１の状態では、上記連結部を把持部に相対回転自在に連結し、上記第１の被係合部から上記連結部の軸心方向に沿って所定距離離間した位置で上記把持部の内周面に、上記第１の係合部に着脱自在に係合する第２の被係合部を形成し、上記第１の状態から把持部を上記所定距離摺動させて第２の被係合部を第１の係合部に係合させた第２の状態では、上記連結部の外周面に形成した第２の係合部と、上記把持部の内周面に形成した第３の被係合部とが共回り可能に係合するように構成した請求項１記載の棒状化粧料容器。
【発明の詳細な説明】
【０００１】
【発明の属する技術分野】
本発明は、塗布部を回転させながら使用することのできるマスカラ，アイライナー等の棒状化粧料容器に関するものである。
【０００２】
【従来の技術】
従来から、マスカラ，アイライナー等の棒状化粧料容器として、例えば、図１７に示すように、化粧料５０を収容した容器体５１と、この容器体５１の上端開口部を蓋する蓋体５２とを備え、この蓋体５２に植設した塗布棒５３の先端部に塗布部材５４を取り付け、使用時には、図１８に示すように、蓋体５２を容器体５１から取り外し、塗布部材５４に付着した化粧料５０をまつ毛等に塗布するようにしたものがある（例えば、特許文献１参照）。図１８において、５５は払拭部である。
【０００３】
【特許文献１】
実公平１−１８１０４号公報（実施例、第１図および第２図）
【０００４】
【発明が解決しようとする課題】
しかしながら、このものでは、塗布部材５４のうち、まつ毛等に向いている面（塗布面）に付着している化粧料５０は、まつ毛等に塗布しやすいが、上記塗布面とは反対側の面に付着している化粧料５０は塗布しにくいという問題や、まつ毛等に塗布する化粧料５０のボリュームを調節することが難しいという問題がある。
【０００５】
本発明は、このような事情に鑑みなされたもので、塗布部の塗布面とは反対側の面に付着している化粧料をも容易に塗布することができ、しかも、化粧料のボリュームを調節しながら塗布することができる棒状化粧料容器の提供をその目的とする。
【０００６】
【課題を解決するための手段】
上記の目的を達成するため、本発明の棒状化粧料容器は、化粧料が収容された有底筒状の容器本体と、この容器本体の上端開口部を蓋する蓋体と、この蓋体に回転不能に固定される塗布部とを備え、上記蓋体の上部に把持部を装着して上記蓋体に対し相対回転自在に連結したという構成をとる。
【０００７】
すなわち、本発明の棒状化粧料容器は、化粧料が収容された有底筒状の容器本体と、この容器本体の上端開口部を蓋する蓋体と、この蓋体に回転不能に固定される塗布部とを備えている。そして、上記蓋体の上部に把持部を装着して上記蓋体に対し相対回転自在に連結しているため、把持部を一方の手指で持ち、蓋体を上記一方の手指の親指と人差し指とで回転させることにより、蓋体を回転させることができる。これにより、使用時に、塗布部の全面をまつ毛等に向かせることができ、塗布部の全面に付着している化粧料をまつ毛等に容易に塗布することができる。しかも、蓋体の回転量により、化粧料のボリュームを調節しながらが簡単にまつ毛等に化粧料を塗布することができる。
【０００８】
【発明の実施の形態】
つぎに、本発明の実施の形態を図面にもとづいて詳しく説明する。
【０００９】
図１および図２は本発明の棒状化粧料容器の一実施の形態を示している。これらの図において、１は容器本体で、２は上記容器本体１の上端開口部を蓋する蓋体で、３は上記蓋体２に相対回転自在に取り付けられる把持部である。上記容器本体１は有底円筒状に形成されており、その内部に化粧料（図示せず）が収容されている。また、上記容器本体１には、その首部１ａの外周面に、後述する蓋体２のねじ部１３ａにら合するねじ部１ｂが形成されている（図３参照）。また、上記首部１ａには、円筒部材１１が内嵌，固定されており、この円筒部材１１の内周面に、筆軸４，塗布部５のブラシ５ａ（ともに、図２参照）を挿通しうる中央孔１２ａが穿設された払拭部１２が設けられている。
【００１０】
上記蓋体２は、図４および図５に示すように、円筒状の側壁部１３と、それ自体の下端部外周面が上記側壁部１３の上部内周面に回転不能に内嵌，固定された円筒状の連結部１４とを備えており、上記側壁部１３の下部内周面に、上記容器本体１の首部１ａのねじ部１ｂにら合するねじ部１３ａが形成されている。また、上記連結部１４の外周面に、後述する把持部３の突条３ａに相対回転自在に係合する凹溝１４ａが形成されている。また、上記連結部１４の下端開口部から接続部１５が一体的に延設されており、この接続部１５の下面から筆軸４が一体的に垂下している。そして、この筆軸４の先端部に塗布部５の支受棒５ｂが回転不能に固定されており、この支受棒５ｂにブラシ５ａが取り付けられている。
【００１１】
上記把持部３は、有天円筒状に形成されており（図６参照）、上記連結部１４に相対回転自在に外嵌した状態で、上記蓋体２の上部に配設されている（図７参照）。また、上記把持部３の内周面には、上記連結部１４の凹溝１４ａに対応する部分に、上記連結部１４の凹溝１４ａに相対回転自在に係合する一条の突条３ａが突設されており、これにより、上記把持部３に対し蓋体２を相対回転させる（すなわち、空回りさせる）ことができるようにしている（図８参照）。なお、上記突条３ａに代えて、１個もしくは複数個の凸部を突設してもよい。
【００１２】
上記の構成において、使用時には、まず、容器本体１を一方の手指で持ち、蓋体２を他方の手指で持ちながら回転操作して両者のねじ部１ｂ，１３ａを緩め、容器本体１から蓋体２を取り外す。つぎに、把持部３を一方の手指で操作して塗布部５のブラシ５ａに付着した化粧料をまつ毛に塗布する。このとき、上記一方の手指の親指と人差し指とで蓋体２の側壁部１３を回転させると、この回転とともに塗布部５が回転し（図８参照）、塗布部５のブラシ５ａの全面をまつ毛に向けることができるため、ブラシ５ａの全面に付着した化粧料を容易にまつ毛に塗布することができる。
【００１３】
上記のように、この実施の形態では、把持部３を一方の手指で持った状態で、蓋体２の側壁部１３を他方の手指で持って回転させることにより、塗布部５のブラシ５ａの全面を利用して、化粧料をまつ毛に塗布することができる。また、塗布部５のブラシ５ａの回転量により、まつ毛に塗布する化粧料のボリュームを調節することができる。
【００１４】
図９は本発明の棒状化粧料容器の他の実施の形態を示している。この実施の形態では、上記実施の形態において、蓋体２の側壁部１３の上端開口部から有天円筒状の連結部１４が上方に向かって一体的に延設されている（図１０および図１１参照）。１６は上記蓋体２の上部に回転不能に内嵌，固定された円筒状の固定部材であり、その下端部から接続部１５が一体的に延設されている。それ以外の部分は上記実施の形態と同様であり、同様の部分には同じ符号を付している。この実施の形態でも、上記実施の形態と同様の作用・効果を示す。
【００１５】
図１２は本発明の棒状化粧料容器のさらに他の実施の形態を示している。この実施の形態では、図１〜図８に示す実施の形態において、蓋体２の連結部１４の上部にコ字状の切り欠き部１８を形成し、この切り欠き部１８で囲まれた部分を弾性片１９としている。そして、この弾性片１９の外周面に凸部２０を突設している（図１３参照）。また、上記蓋体２の連結部１４の下部に複数本の筋状凸部２１を上記連結部１４の外周面の周方向に所定間隔をあけて突設している。これら複数本の筋状凸部２１の下端面は、容器本体１の上端開口部を蓋体２で蓋したときに（図１２参照）、上記蓋体２の側壁部１３の上端面に当接するように位置決めされている。
【００１６】
一方、上記把持部３は、上記蓋体２の連結部１４に、その軸心方向に沿って摺動自在に装着されている。また、上記把持部３には、その内周面に、上記弾性片１９の凸部２０に相対回転自在で着脱自在に係合する下側凹溝２３が形成されており、この下側凹溝２３から上記連結部１４の軸心方向に沿って所定距離離間した上方位置に、上記弾性片１９の凸部２０に着脱自在に係合する上側凹溝２４が形成されている（図１４参照）。また、上記把持部３の下端開口部の内周面に、その下端面から上方に延びる複数本の筋状凹部２５が、上記下端開口部の内周面の周方向に上記所定間隔をあけて形成されており、上記複数本の筋状凸部２１に共回り可能に係合しうるようにしている。このとき、上記連結部１４の凸部２０と筋状凸部２１間の距離と、上記把持部３の上側凹溝２４と筋状凹部２５間の距離とは、同じに設定されている。また、この実施の形態では、上記弾性片１９の凸部２０を下側凹溝２３に係合させた第１の状態では（図１２参照）、上記把持部３の下端面と蓋体２の側壁部１３の上端面とは、上記両凹溝２３，２４間の距離だけ離間している。それ以外の部分は、図１〜図８に示す実施の形態と同様であり、同様の部分には同じ符号を付している。
【００１７】
上記の構成において、連結部１４の弾性片１９の凸部２０を把持部３の下側凹溝２３に係合させた第１の状態では（図１２参照）、把持部３に対して蓋体２を相対回転させることができる。また、その状態から、把持部３を蓋体２側に（下方に）押し込み、上記弾性片１９の凸部２０を把持部３の上側凹溝２４に係合させるとともに、上記連結部１４の複数本の筋状凸部２１と把持部３の複数本の筋状凹部２５に係合させた第２の状態では（図１５参照）、蓋体２と把持部３とは一体的に連れ回りするようになる。
【００１８】
上記のように、この実施の形態でも、図１〜図８に示す実施の形態と同様の作用・効果を示す。しかも、この実施の形態では、不使用時に、容器本体１を手指で持ち、もう一方の手指で把持部３を回転させた場合には、把持部３と蓋体２が共回りするため、容器本体１と蓋体２とが相対回転し、蓋体２を容器本体１から取り外すことができる。これに対し、図１〜図８に示す実施の形態では、把持部３と蓋体２が空回りするため、把持部３を回転させても蓋体２を取り外すことができない。
【００１９】
図１６は本発明の棒状化粧料容器のさらに他の実施の形態を示している。この実施の形態では、図１２〜図１５に示す実施の形態において、蓋体２の側壁部１３の上端開口部から有天円筒状の連結部１４が上方に向かって一体的に延設されている。なお、連結部１４に突設される複数本の筋状凸部２１は、上記蓋体２の側壁部１３の上端面から上方に延びている。２６は上記蓋体２の上部に回転不能に内嵌，固定された円筒状の固定部材であり、その下端部から接続部１５が一体的に延設されている。それ以外の部分は、図１２〜図１５に示す実施の形態と同様であり、同様の部分には同じ符号を付している。この実施の形態でも、図１２〜図１５に示す実施の形態と同様の作用・効果を示す。
【００２０】
なお、図１〜図８および図９〜図１１に示す実施の形態では、連結部１４の外周面に凹溝１４ａを形成し、把持部３の内周面に突条３ａを形成しているが、これに限定するものではなく、連結部１４の外周面に突条３ａを形成し、把持部３の内周面に凹溝１４ａを形成してもよい。また、上記各実施の形態では、連結部１４を把持部３に内嵌状に連結しているが、外嵌状に連結してもよい。また、連結部１４を把持部３から形成してもよい。
【００２１】
【発明の効果】
以上のように、本発明の棒状化粧料容器によれば、蓋体の上部に把持部を装着して上記蓋体に対し相対回転自在に連結しているため、把持部を一方の手指で持ち、蓋体を上記一方の手指の親指と人差し指とで回転させることにより、蓋体を回転させることができる。これにより、使用時に、塗布部の全面をまつ毛等に向かせることができ、塗布部の全面に付着している化粧料をまつ毛等に容易に塗布することができる。しかも、蓋体の回転量により、化粧料のボリュームを調節しながらが簡単にまつ毛等に化粧料を塗布することができる。
【００２２】
特に、上記把持部を筒状体で構成し、上記蓋体に回転不能に設けた連結部を上記蓋体の上面から突出させて上記把持部内に挿通させ、上記連結部の外周面に係合部を形成し、この係合部に対応する上記把持部の内周面の部分に、上記係合部に相対回転自在に係合する被係合部を形成し、これにより、上記連結部を把持部に相対回転自在に連結した場合には、構造が簡単になり、製造コストが安価になる。
【００２３】
また、上記把持部を筒状体で構成し、上記蓋体に回転不能に設けた連結部を上記蓋体の上面から突出させて上記把持部内に挿通させるとともに、この把持部を上記連結部の軸心方向に沿って摺動自在に構成し、上記連結部の外周面に、第１の係合部を有する弾性片を設け、上記第１の係合部に対応する上記把持部の内周面の部分に、上記第１の係合部に相対回転自在で着脱自在に係合する第１の被係合部を形成し、これにより、上記第１の係合部と第１の被係合部とが係合した第１の状態では、上記連結部を把持部に相対回転自在に連結し、上記第１の被係合部から上記連結部の軸心方向に沿って所定距離離間した位置で上記把持部の内周面に、上記第１の係合部に着脱自在に係合する第２の被係合部を形成し、上記第１の状態から把持部を上記所定距離摺動させて第２の被係合部を第１の係合部に係合させた第２の状態では、上記連結部の外周面に形成した第２の係合部と、上記把持部の内周面に形成した第３の被係合部とが共回り可能に係合するように構成した場合には、蓋体と把持部とが相対回転する第１状態と、蓋体と把持部とが連れ回りする第２状態とに切り換えることができ、非常に便利になる。また、上記第２状態では、容器本体を一方の手指で持ち、把持部を他方の手指で回転させた場合にも、蓋体と把持部とが連れ回りするため、容器本体と蓋体とが相対回転して容器本体から蓋体を取り外すことができる。
【図面の簡単な説明】
【図１】本発明の棒状化粧料容器の一実施の形態を示す正面図である。
【図２】上記棒状化粧料容器の断面図である。
【図３】容器本体の断面図である。
【図４】蓋体の正面図である。
【図５】上記蓋体の断面図である。
【図６】把持部の断面図である。
【図７】上記蓋体上に把持部を配設した状態を示す正面図である。
【図８】上記棒状化粧料容器の作用を示す斜視図である。
【図９】本発明の棒状化粧料容器の他の実施の形態を示す断面図である。
【図１０】蓋体の正面図である。
【図１１】上記蓋体の断面図である。
【図１２】本発明の棒状化粧料容器のさらに他の実施の形態を示す断面図である。
【図１３】蓋体の正面図である。
【図１４】把持部の断面図である。
【図１５】上記棒状化粧料容器の作用を示す断面図である。
【図１６】本発明の棒状化粧料容器のさらに他の実施の形態を示す断面図である。
【図１７】従来例を示す断面図である。
【図１８】従来例の作用を示す断面図である。
【符号の説明】
２  蓋体
３  把持部
５  塗布部
【図１】
2004290300.tif 000003
【図２】
2004290300.tif 000004
【図３】
2004290300.tif 000005
【図４】
2004290300.tif 000006
【図５】
2004290300.tif 000007
【図６】
2004290300.tif 000008
【図７】
2004290300.tif 000009
【図８】
2004290300.tif 000010
【図９】
2004290300.tif 000011
【図１０】
2004290300.tif 000012
【図１１】
2004290300.tif 000013
【図１２】
2004290300.tif 000014
【図１３】
2004290300.tif 000015
【図１４】
2004290300.tif 000016
【図１５】
2004290300.tif 000017
【図１６】
2004290300.tif 000018
【図１７】
2004290300.tif 000019
【図１８】
2004290300.tif 000020